(57)【要約】      （修正有）【課題】機能性と意匠性を兼ね備えた端子台カバーを有する空気調和機の室内機を提供する。【解決手段】風向板７，８が配設される空気の吹出し口１５と、露受け部と前記吹出し口１５とが具備されるキャビネット２と、前記キャビネット２に配設される送風機および熱交換器と、上面部に吸い込み口１が形成されてなる化粧カバー４と、を備え、前記風向板７，８の側方には端子台カバー５が配設され、前記端子台カバー５はその側面部と前記キャビネット２の前記吹出し口１５の側面部とが固定されていることを特徴とする。【選択図】図１
2016211816.tif 000002
【特許請求の範囲】
【請求項１】
風向板が配設される空気の吹出し口と、
露受け部と前記吹出し口とが具備されるキャビネットと、
前記キャビネットに配設される送風機および熱交換器と、
上面部に吸い込み口が形成されてなる化粧カバーと、
を備え、
前記風向板の側方には端子台カバーが配設され、
前記端子台カバーはその側面部と前記キャビネットの前記吹出し口の側面部とが固定されていること
を特徴とする空気調和機の室内機。
【請求項２】
前記露受け部または前記吹出し口と前記キャビネットとはそれぞれが少なくとも一体で射出成形されていること
を特徴とする、請求項１に記載の空気調和機の室内機。
【請求項３】
前記端子台カバーは前記吹出し口の側の側壁にねじを挿通するためのねじ孔を備えて前記ねじで固定され、
前記ねじ孔は長孔形状を呈し、
前記ねじ孔は長手方向が前記端子台カバーのカバー部の面方向に対して略垂直となる方向と略一致するように形成されており、前記端子台カバーの固定位置の微調整が可能であること
を特徴とする、請求項１に記載の空気調和機の室内機。
【請求項４】
前記端子台カバーは前記吹出し口の側の側壁と対向する側の側壁に、前記側壁の上部の少なくとも一部に形成された突起が、これと対向する前記化粧カバーの側面部の先端部に設けられる突起と係り合うようにされていること
を特徴とする、請求項３に記載の空気調和機の室内機。
【請求項５】
前記端子台カバーは前記風向板とこの室内機の側方端との間に配設され、
前記端子台カバーの前記吹出し口の側の側壁と対向する側の側壁の長さは前記吹出し口の側の側壁の長さよりも長くなるようにして形成されていること
を特徴とする、請求項４に記載の空気調和機の室内機。
【請求項６】
前記端子台カバーの前記カバー部は内部の光源の光を透光させることができること
を特徴とする、請求項３ないし請求項５のいずれか１項に記載の空気調和機の室内機。
【発明の詳細な説明】
【技術分野】
【０００１】
本発明は、空気調和機の室内機に関する。
【背景技術】
【０００２】
従来、空気調和機の室内機は、空気の吸込口を上面側のみならず前面側にも設けることで、風量の確保が比較的容易となるようにされていた。
【０００３】
ここで、図７（ａ）,（ｂ）を参照しながら、特許文献１に記載の比較例にかかる空気調和機の全体構成、および端子台カバーについて簡単に説明する。
比較例にかかる空気調和機の室内機１Ｃの外観は、図７（ａ），（ｂ）に示すように、キャビネット２と、化粧カバー４ａと、フロントパネル４ｂと、可動パネル４ｃとを含んで構成される。
ここで、化粧カバー４ａとフロントパネル４ｂ、および可動パネル４ｃはそれぞれが別体で成形され、組み立てられる構造となっている。つまり、フロントパネル４ｂは化粧カバー４ａと一体ではなく、着脱可能にされている。
また、可動パネル４ｃはフロントパネル４ｂの図示しない可動軸を中心に、回動するようにして取り付けられている。つまり、可動パネル４ｃは例えばフロントパネル４ｂの構成物として機能するものである。運転時には可動パネル４ｃの上部がフロントパネル４ｂから離間するようにして開くことによって、空気の吸い込み面積を増加させる（特許文献１の図４も併せて参照）。
【０００４】
そして図７（ｂ）に示すように、エアフィルタの清掃時や室内機１Ｃの設置時には、フロントパネル４ｂは化粧カバー４ａの上部に備えられた可動軸を回動中心として、化粧カバー４ａの下部から離間するようにして開く。
そして、フロントパネル４ｂを化粧カバー４ａから開くと、例えば右端に端子台カバー５が備えられている。但し、端子台カバー５は右端とは別の位置に設けられている場合もある。
この端子台カバー５は、フロントパネル４ｂを開くことで取り外しができるようにされる。このようにして、端子台カバー５を取り外すと、端子台カバー５の内部に設けられた端子台が現れる。そして、正面側から例えば室外機との接続ケーブルが接続できる。
このように、比較例にかかる空気調和機の室内機の端子台カバー５は通常、フロントパネル４ｂによって覆われている。
【先行技術文献】
【特許文献】
【０００５】
【特許文献１】特開２００９−０９７７６２号公報
【発明の概要】
【発明が解決しようとする課題】
【０００６】
ところで、可動パネル４ｃおよびフロントパネル４ｂが化粧カバー４ａと別体だと製造原価が上昇する場合がある。また、近年空気調和機はデザイン性が重視され、空気の吸込口は上面側のみとして、正面側は吸込口が廃されたフラットな外観形状が好まれている。そこで、可動パネル４ｃおよびフロントパネル４ｂを廃止しこれらを化粧カバー４ａと一体構造として、製造原価を低減させる場合がある。その場合でも端子台カバーは必要であり、端子台カバーに関しては、機能性の観点と意匠性の観点とを調和させることが望まれる。
【０００７】
そこで本発明は前記の課題に鑑みて為されたものであり、その目的は、機能性と意匠性を兼ね備えた端子台カバーを有する空気調和機の室内機を提供することにある。
【課題を解決するための手段】
【０００８】
上記課題を解決するために、本発明は、風向板が配設される空気の吹出し口と、露受け部と前記吹出し口とが具備されるキャビネットと、前記キャビネットに配設される送風機および熱交換器と、上面部に吸い込み口が形成されてなる化粧カバーと、を備え、前記風向板の側方には端子台カバーが配設され、前記端子台カバーはその側面部と前記キャビネットの前記吹出し口の側面部とが固定されていることを特徴とする。
【発明の効果】
【０００９】
本発明によれば、機能性と意匠性を兼ね備えた端子台カバーを有する空気調和機の室内機を提供できる。
【図面の簡単な説明】
【００１０】
【図１】本発明の実施形態にかかる空気調和機の室内機の斜視図であり、室外機を含めた全体を説明する図である。
【図２】本発明の実施形態にかかる空気調和機の室内機の内部構造を説明する斜視図である。
【図３】本発明の実施形態にかかる空気調和機の室内機のキャビネットを示す斜視図である。
【図４】本発明の実施形態にかかる空気調和機の室内機の、（ａ）は端子台カバーの形状を示す斜視図、（ｂ）は図１、図４（ａ）に示すＸ−Ｘ矢視断面図である。
【図５】本発明の実施形態にかかる空気調和機の室内機の端子台カバーを取り外した形状を示す斜視図である。
【図６】本発明の実施形態の変形例にかかる空気調和機の室内機の、（ａ）は端子台カバーを正面右下から見た斜視図、（ｂ）は端子台カバーを正面左下から見た斜視図である。
【図７】比較例にかかる空気調和機の室内機の、（ａ）は全体構成を示す斜視図、（ｂ）はフロントパネルを開いた状態を示す斜視図である。
【発明を実施するための形態】
【００１１】
以下、本発明の一実施形態に係わる空気調和機の室内機について、詳細に説明する。
以下では説明の便宜上、各図面で共通する部材には同一の符号を付して重複する説明を省略する。正面背面上下左右の方向軸については、各図の記載によるものとする。
なお、以下では室内の壁部に取り付けられる壁掛け型の室内機を例に挙げて説明するが、本発明の実施形態は、床置き型の室内機に適用することもできる。
【００１２】
（実施形態の説明）
次に、図１を参照しながら、本発明の実施形態にかかる空気調和機の室内機、および室外機を含めた全体の外観を説明する。（なお、以下では図２、図３も適宜参照のこと）。
図１に示すように、本発明の実施形態にかかる空気調和機の室内機１Ａは、部品点数を少なくするためにフロントパネル部が化粧カバー４と一体構造となるように成形されている。そして、化粧カバー４の上面部には上部吸込口１（吸い込み口）およびエアフィルタ３（後記図２も参照）が配設され、ここから室内空気を吸い込んで（図１の矢印ａ）、熱交換器９（後記図２を参照）を介して熱交換を行う。そして、空気吹出し口１５（吹出し口）から、上下風向板７および左右風向板８を介して風向が所定方向（例えば矢印ｂの方向）に調整されて、室内に送風される。
【００１３】
空気吹出し口１５の右隣には、例えば端子台カバー５が配置される。つまり、端子台カバー５は空気吹出し口１５に配設される上下風向板７（風向板）、左右風向板８（風向板）とこの室内機１Ａの側方端との間に例えば隣接して配設される。そして、端子台カバー５（本体部５ａ）は例えば室内機１Ａの表示部の機能を備えた板状部５ｂを備えている。そして板状部５ｂを含め、端子台カバー５の外表面は空気調和機の室内機１Ａの意匠面を構成している。また、端子台カバー５は、ねじ６によって空気吹出し口１５の側面部分にあたるキャビネット２にねじ止めされて、固定される。
【００１４】
また、化粧カバー４のフロントパネル部は、比較例の室内機１Ｃとは異なり空気の吸込口が廃されて、意匠面がフラットな略板状部を有するようにされている。
【００１５】
なお、本実施形態にかかる空気調和機の室内機１Ａは、図示しない圧縮機、室外熱交換器、室外送風機、四方弁、膨張弁を備えた室外機２０と、接続配管２１などを介して接続される。そして、当該接続配管２１の内部に冷媒を循環させることで、室内を空調する。図１中の符号Ｃｂは、接続ケーブル（後記図５参照）を示している。
【００１６】
次に、図２を参照しながら、本発明の実施形態にかかる空気調和機の室内機の内部構造を説明する。
本実施形態にかかる空気調和機の室内機１Ａは、前記したように、略板状部を有するフロントパネル部が化粧カバー４と一体成形されている。モータ１１（送風機）の運転によって図示しない貫流ファンが駆動され、上面部に設けられた上部吸込口１から空気が吸い込まれる。そして、エアフィルタ３で空気中の塵埃がフィルタリングされ、熱交換器９へと送られる。
【００１７】
熱交換器９は、正面側に配置される熱交換器と、図示しない背面側に配置される熱交換器とを含んでなる。例えば正面側に配置される熱交換器は屈曲部を有し、これと背面側に配置される熱交換器とが例えば略「Λ」状に互いに立て掛けられるようにして設置されている（図２では正面側の熱交換器のみ図示）。
【００１８】
なお、熱交換器９の右側に隣接する位置には、モータ１１（図２では一部のみ図示）、および電気品箱１０が設置される。熱交換器９で熱交換された空気は空気吹出し口１５から室内へと送風される。
【００１９】
なお、空気吹出し口１５は例えばドレンパン１６（露受け部）と表裏が射出成形などで一体となる形状を呈している。つまり、ドレンパン１６の裏面が空気吹出し口１５（吹出し風路）の上面を構成し、キャビネット２の下部のケーシング部が空気吹出し口１５の下面を構成している。
そして、ドレンパン１６と空気吹出し口１５との一体物はさらに、キャビネット２とも射出成形などで一体成形されている（詳細は図３で後記）。
【００２０】
また空気吹出し口１５には、風向を上下に変えることのできる上下風向板７、および風向を左右に変えることのできる左右風向板８（図１も参照）が備えられている。
【００２１】
空気吹出し口１５の右側に隣接する部分には、例えば表示基板１２およびこれと並ぶようにして端子台１３が備えられる。表示基板１２には、例えば運転状況を表示するＬＥＤが備えられる。また、端子台１３には室外機２０（図１参照）から延びる、接続ケーブルＣｂ（後記図５参照）が結線される。
【００２２】
なお、端子台１３には、端子台カバー５が装着される。そして、端子台カバー５は、例えばねじ６によって、キャビネット２と固定される。また、端子台カバー５は例えば係合部５ｅの係り合いによって、化粧カバー４と固定される（詳細後記）。
【００２３】
次に、図３はキャビネット２の斜視図である。図３を参照しながら、本発明の実施形態にかかる空気調和機の室内機１Ａのキャビネット２の形状について説明する。なお、図３は図２のうちモータ１１、電気品箱１０、熱交換器９、端子台１３および表示基板１２、端子台カバー５、化粧カバー４の記載を省略したものである。
【００２４】
図３に示されるように、本発明の実施形態にかかる空気調和機の室内機１Ａのキャビネット２は、ドレンパン１６と繋ぎ目なく一体で例えば射出成形されている。なお、ドレンパン１６の下方には空気吹出し口１５が形成されている。ドレンパン１６と空気吹出し口１５は表裏一体で、キャビネット２と連続するようにして一体成形されている。以上を換言すると、ドレンパン（露受け部）１６または空気吹出し口１５（吹出し口）とキャビネット２とは、それぞれが少なくとも一体で成形されている。
なお、図３中のキャビネット２と、上下風向板７とは別体で成形されている。
【００２５】
次に、図４（ａ）、（ｂ）を参照しながら、本発明の実施形態にかかる空気調和機の室内機の端子台カバーの構造を説明する。図４の（ａ）は端子台カバーの形状を示す斜視図、（ｂ）は図１、図４（ａ）に示すＸ−Ｘ矢視断面図である。
【００２６】
図４（ａ）に示すように、端子台カバー５は、左右の側面部５ａ１をなす側壁を含んでなる本体部５ａと、前記した板状部５ｂとを有している。そして、端子台カバー５の例えば左端の側面部５ａ１の側壁には、固定用のねじ６が挿通されるねじ孔５ｃが備えられている。ねじ孔５ｃは長孔で形成される。この長孔の形状は特に限定されないが、本実施形態では例えば略楕円形状を呈するように形成されている。そして、楕円状の長孔の長軸が端子台カバー５の正面側の意匠面となる板状部５ｂの面方向に対して略垂直となるようにされている。
【００２７】
このようにする理由は以下の通りである。端子台カバー５は、端子台カバー５の固定用のねじ６を用いて、キャビネット２と一体で成形された空気吹出し口１５（またはドレンパン１６）の側面部に固定されて装着される。このため、化粧カバー４と、意匠面に垂直な高さ方向すなわち板状部５ｂと略直交する方向にずれが生じやすくなっている（図１も併せて参照）。
【００２８】
また、運転停止時（つまり上下風向板７が閉じているとき）に、端子台カバー５と上下風向板７との境目は、ズレや段差がなくフラットな状態にすることが意匠的に好ましい。しかし、上下風向板７は長尺の可動部品であるため、ずれや段差が生じやすい。このずれなどをなくそうとすると、部品の製造時や組立時のそれぞれで高い精度が必要となり、高コストになってしまう問題がある。
【００２９】
そこで、固定用のねじ孔５ｃの形状を板状部５ｂに略直交する長孔形状を呈するようにすることによって、端子台カバー５を装着した場合の、左端の当該意匠面に垂直な高さ方向の調整を可能としたものである。
【００３０】
なお、端子台カバー５の右端は、化粧カバー４と例えば後記する係合部５ｅの係合によって、当該意匠面に平行な方向および当該意匠面と垂直な高さ方向において、いずれも段差が生じないようにされている。補足すると、本実施形態では、端子台カバー５の右側は固定であり位置の調整はできないが、端子台カバー５は、上下風向板７のような可動部品でもなく短尺であるので、本来的にキャビネット２や化粧カバー４とのずれなどのない組み付けは可能である。
【００３１】
このようにすることによって、例えば端子台カバー５の意匠面となる板状部５ｂの上端部と化粧カバー４との表面上の段差を防ぐことが可能となる。また、端子台カバー５の意匠面（表面）となる板状部５ｂの左端部と運転停止時における上下風向板７の表面との段差を防ぐことが可能となる。つまり、意匠性に優れた端子台カバー５を提供できる。
【００３２】
特に、本実施形態では上下風向板７よりも短尺の端子台カバー５について、その上下風向板７と接する部分（端子台カバー５の左側）の位置を、ずれなどを解消できる方向に調整できるようにした。これによって、端子台カバー５の意匠面となる板状部５ｂの左端部と運転停止時における上下風向板７とは、ねじ孔５ｃによって該意匠面と垂直な高さ方向の位置の微調整ができるので、表面上のずれや段差を減らす大きな効果を奏することができる。
【００３３】
以上を換言すると、端子台カバー５は本体部５ａの左端の側壁（短手方向の一端側の側壁。つまり空気吹出し口１５の側の側壁。）にねじ６を挿通するためのねじ孔５ｃを備えてねじ６で固定されている。そして、ねじ孔５ｃは長孔形状を呈し、このねじ孔５ｃは長手方向が端子台カバー５の板状部５ｂ（カバー部）の面方向に対して略垂直となる方向と略一致するように形成されている。このようにして、端子台カバー５の固定位置の微調整が可能にされている。
【００３４】
また、端子台カバー５の右端の側壁、すなわちねじ孔５ｃが形成される左端の側壁と対向する側の側壁は、室内機１Ａの側方深くまで回り込んで形成されている。そして、１または複数か所（図４（ａ）では２箇所）において部分的に、略爪状を呈する係合部５ｅが、端子台カバー５の右端の側壁の上部からさらに化粧カバー４の方、すなわち上方へと飛び出すように突出して形成されている（図２、図３も併せて参照）。そして端子台カバー５は、係合部５ｅが化粧カバー４の側面部の先端部の位置に設けられた略爪状の被係合部４ｄ（図４（ｂ）で後記）と係り合わされて固定される。このようにして、係合部を室内機１Ａの内面側に設けることによって、端子台カバー５は化粧カバー４と意匠面方向および意匠面に垂直な高さ方向に段差が生じないように装着することができる。つまり、高い意匠性を具備することができる。
【００３５】
また、図２に図示されているように、端子台１３の左方にはこれと並ぶようにして運転状況を表示するＬＥＤを搭載した表示基板１２が配設されている。
そこで、端子台カバー５の板状部５ｂにはこの表示基板１２のＬＥＤの光が透過するように孔５ｄが形成されている。但し、ＬＥＤの光を透過させる方法は特にこれには限定されない。
そして、例えば孔５ｄの下に透光性のある銘板付きのシール（不図示）が貼り付けされている。銘板には表示基板１２のＬＥＤの灯火と対応するようにして、例えば「運転中」、「警告」、「冷房」、「暖房」、「除湿」、「タイマー」など、運転状況を示す図示しない文字や記号、イラストなどが表示される。このように、端子台カバー５の板状部５ｂは表示部の機能を兼ねている。
【００３６】
次に、図４（ｂ）に示される、図１・図４（ａ）のＸ−Ｘ矢視断面図を参照しながら、端子台カバー５が、化粧カバー４およびキャビネット２に装着される様子を説明する。
図４（ｂ）に示されるように、端子台カバー５の右端は、右端の側壁に部分的に設けられた係合部５ｅ、すなわち右端の側壁の上部に略爪状に突出して形成された突起が、化粧カバー４の側面部の先端部に設けられた被係合部４ｄである略爪状の突起と係り合うようにされている。換言すると、端子台カバー５の右端の側壁（短手方向の他端側。つまり、空気吹出し口１５の側の側壁と対向する側の側壁）は、この側壁の上部の少なくとも一部に略爪状に突出して形成された突起が、これと対向して前記化粧カバー４の側面部の先端部に設けられた略爪状の突起と係り合うように形成されている。
また、端子台カバー５の左端は、左端の側壁に形成されたねじ孔５ｃにねじ６が挿通されて、ねじの作用でキャビネット２と嵌め合わされている。
【００３７】
つまり、本実施形態の端子台カバー５の固定は、右端は端子台カバー５の係合部５ｅと化粧カバー４の被係合部４ｄとが係り合うことで行われる。また、左端は端子台カバー５の固定用のねじ６を左端の側壁に設けられたねじ孔５ｃ（図４（ａ）参照）に挿通し、キャビネット２とねじ止めすることによって行われる。
【００３８】
この際、端子台カバー５（本体部５ａ）の右端の側壁（つまり、空気吹出し口１５の側の側壁と対向する側の側壁）の高さ（長さ）Ｌ１は、左端の側壁（つまり、空気吹出し口１５の側の側面部５ａ１を形成する側壁）の高さ（長さ）Ｌ２よりも高く（長く）なるようにして形成されている（Ｌ１＞Ｌ２）。つまり、端子台カバー５の左右の側壁は、ねじ孔５ｃが形成される左端の側壁よりもこれと対向する右端の側壁の方が、室内機１Ａの側方深くまで回り込むように形成されている（詳細は図５で後記）。
【００３９】
また、端子台カバー５のねじ孔５ｃは、上下風向板７が配設される空気吹出し口１５の側面部にあたるキャビネット２と嵌め合わせ可能に形成されている（図1も併せて参照）。このようにすることによって、運転停止時には上下風向板７が閉じられて、正面から端子台カバー５の固定用のねじ６が見えなくなる。以上によって、優れた意匠性を備えさせることができる。
なお、運転停止時に固定用のねじ６を締めたり緩めたりする場合は、上下風向板７を手動で図１に示すような開けた状態にする。このようにすることで、容易にドライバーなどの工具をねじ６に充てがうことができ、固定用のねじ６を締めたり緩めたりできる。つまり、端子台カバー５の位置の微調整を行うことができる。
【００４０】
ところで、比較例にかかる空気調和機の室内機として、例えばドレンパン１６と空気吹出し口１５とキャビネット２とがそれぞれ別体で組み合わされることにより構成されるものがあった。そして、その場合の組み合わせ部、すなわち接続部においては、組み立て（端子台カバー５の嵌め合わせ）によって生ずる上下方向の段差や面方向の隙間などのずれや誤差を小さくすることについて、更なる改善の余地があった。
【００４１】
それに対して、本実施形態の室内機１Ａは前述の通り、キャビネット２は、ドレンパン１６およびこれと表裏一体をなす空気吹出し口１５と射出成形などで一体成形されている。つまり、ドレンパン１６および空気吹出し口１５とキャビネット２とは一体物となり、これらの接続部が廃されている。本実施形態は、このような構造を備えた室内機１Ａであるので、このような部分に端子台カバー５を装着しても、比較例の室内機のような嵌合によるずれや誤差が生じにくくなっている。
【００４２】
つまり、比較例にかかる室内機においては、ドレンパン１６（および空気吹出し口１５）、キャビネット２、化粧カバー４ａの少なくとも３点がそれぞれ別体で組み合わさり、そこに端子台カバー５が被さるようにして装着されることになる。これに対して本実施形態の室内機１Ａは、ドレンパン１６（および空気吹出し口１５）と射出成形などで一体化したキャビネット２、化粧カバー４の２点が組み合わさり、そこに端子台カバー５が被さるようにして装着される（図２、図４（ｂ）を併せて参照）。
【００４３】
すなわち、本実施形態の室内機１Ａの端子台カバー５は、比較例よりも接続箇所が少なくとも１か所以上減らされた部分に被さるようにして装着される。これによって、比較例よりもずれや誤差が生じにくくなっている。また、意匠性を向上させることができる。
【００４４】
さらには、端子台カバー５の固定用のねじ６は空気吹出し口１５の側面部にあたるキャビネット２に挿通される（図４（ｂ）参照）。ゆえに、運転停止時には空気吹出し口１５は上下風向板７が閉じられて塞がれるので、正面からねじ６が直接は視認されず、意匠性の向上が図られる。また、ねじ孔５ｃは図４（ａ）に示すように板状部５ｂと略直交する方向に長孔形状を呈している。ゆえに、図４（ｂ）の実線矢印で示すように、端子台カバー５の上下方向の位置調整を行うことができる。それゆえに、化粧カバー４と端子台カバー５の意匠面でのつなぎがさらによくなる構造となっている。
【００４５】
なお、図４（ｂ）では、例えば端子台カバー５の本体部５ａと、板状部５ｂとは異なる厚みの部材で構成されているが、これには特に限定されない。
【００４６】
次に、図５を参照しながら、本発明の実施形態にかかる空気調和機の室内機１Ａの端子台カバー５を取り外した形状を説明する。
本実施形態にかかる空気調和機の室内機１Ａを例えば室内に据え付ける際には、図５に示すように、端子台カバー５をキャビネット２に固定するねじ６を外し、端子台カバー５を取り外す。そして、端子台１３に室外機２０から引き回された接続ケーブルＣｂを結線する。
【００４７】
この際、端子台１３は、化粧カバー４のフロントパネル部の意匠面よりも内部に奥まって設置されている。しかし、本実施形態では、化粧カバー４のうち、端子台カバー５が装着される部分の開口部は、当該開口部の右端側が左端側よりも化粧カバー４の側面部まで深く回り込み、側面視で端子台１３が露出する程度に深く切り欠かれて形成されている。（図４（ｂ）で説明した、端子台カバー５の左右の側壁の高さ（長さ）Ｌ１＞Ｌ２も併せて参照のこと）。このような開口面が広い形状によって、接続ケーブルＣｂの端子台１３への接続が容易となっている。
なお、図５中の符号１２はＬＥＤの表示基板である。
【００４８】
（作用・効果）
本発明の実施形態にかかる空気調和機の室内機の作用・効果をまとめると、以下のようになる。
比較例にかかる空気調和機の室内機１Ｃでは、化粧カバー４とフロントパネル４ｂが別体となっている。この場合、端子台カバー５はフロントパネル４ｂの奥側に隠れている。ゆえに、正面方向からねじ止めを行っても、意匠性に影響が及ぶことはなかった。
【００４９】
しかし、本実施形態にかかる空気調和機の室内機１Ａでは、化粧カバー４とフロントパネル４ｂは一体で成形される。この場合には、接続ケーブルＣｂの接続を端子台１３の正面側から行うには、端子台１３を覆う端子台カバー５が必要となる。この端子台カバー５は、意匠面にねじ止めして固定すると意匠性を損なうことがある。
【００５０】
詳しく補足すると、端子台カバー５はＪＩＳ規格上ねじ止めをして固定する必要がある。しかし、本実施形態にかかる空気調和機の室内機１Ａは、フロントパネル４ｂと化粧カバー４とが一体で成形されており、フロントパネル４ｂの正面側でねじ止めを行うと意匠性を損なってしまう。
このため、本実施形態では、端子台カバー５をキャビネット２に固定するねじ６は、室内機１Ａが、運転停止時に上下風向板７が閉じることによって見えなくなる位置、すなわち空気吹出し口１５の側面部に止める構造とした。
【００５１】
なお、このようにしても、運転停止時に固定用のねじ６を締めたり緩めたりする場合は、例えば上下風向板７を手動で図１に示すような開けた状態にすればよい。このようにすれば、容易にドライバーなどの工具をねじ６に充てがうことができる。つまり、固定用のねじ６を締めたり緩めたりできるので、端子台カバー５の位置の微調整を行うことができる。
【００５２】
このようにすることによって、意匠性を損なわないで端子台カバー５をキャビネット２に固定できる。また、接続ケーブルＣｂを正面側から端子台１３へ容易に接続することができる。このようにすることによって、端子台カバー５の意匠性の問題が解消されるので、化粧カバー４とフロントパネル４ｂを一体成形して、空気調和機の室内機の製造原価を低減させる効果を奏することができる。
【００５３】
（変形例）
次に、図６（ａ）、図６（ｂ）を参照しながら、実施形態の変形例にかかる空気調和機の室内機１Ｂの端子台カバー５Ｂについて説明する。なお、図６（ａ）は正面右下から見た斜視図、（ｂ）は正面左下から見た斜視図である。そして、実施形態と同一要素には同一の符号を付し、その詳細な説明を省略する。
【００５４】
実施形態にかかる端子台カバー５（図４（ａ）参照）は、右端の側壁の上部に、部分的に略爪状の係合部５ｅが形成されていた。これと比較して、本変形例にかかる端子台カバー５Ｂ（図６（ａ）参照）は、右端の側壁の上部全域に亘って、略爪状の係合部５ｅ２が形成されている。
【００５５】
また、実施形態にかかる端子台カバー５（図４（ａ）参照）は、板状部５ｂに、表示基板１２（図５参照）のＬＥＤの光を透光させるための孔５ｄが形成されていた。これに対して、本変形例にかかる端子台カバー５Ｂ（図６（ａ）参照）は、孔５ｄに相当する孔が形成されておらず（つまり仮想線となっている）、板状部５ｂ２全体が透光性を備えた樹脂部材で成形されている点が異なっている。
【００５６】
なお、端子台カバー５Ｂのその他の構成、つまり左端の側壁に設けられるねじ孔５ｃの位置や形状、および図４（ｂ）で示される端子台カバー５Ｂの断面形状などは、実施形態の端子台カバー５と同様である。
なお、本体部５ａ２と、板状部５ｂ２とは、厚みの異なる部材で構成されていてもよいし、等しい厚みの部材で構成されていてもよい。また、本体部５ａ２と、板状部５ｂ２とは、射出成形などで一体成形されていてもよい。
【００５７】
このような端子台カバー５Ｂとしても、実施形態と同様の作用・効果を奏することができる。このような端子台カバー５Ｂとすることもできる。
また、端子台カバー５Ｂの更なる変形例として、板状部５ｂ２は、表示基板１２のＬＥＤの光が透過できる程度に、少なくとも透光部に該当する部分の樹脂の厚みを薄くすることによって、敢えて透光性がやや劣る樹脂を用いて成形されていてもよい。
この場合も、本体部５ａ２と、板状部５ｂ２とは、厚みの異なる部材で構成されていてもよいし、等しい厚みの部材で構成されていてもよい。また、本体部５ａ２と、板状部５ｂ２とは、射出成形などで一体成形されていてもよい。
【００５８】
上記した実施形態または変形例は、本発明を分かりやすくするために詳細に説明したものであり、本発明は必ずしも、説明した全ての構成を備えるものに限定されるものではない。
【００５９】
また、ある実施形態または変形例の構成の一部を他の実施形態または変形例の構成に置き換えることが可能であり、また、ある実施形態または変形例の構成に、他の実施形態または変形例の構成の一部もしくは全てを加えることも可能である。
また、実施形態または変形例の構成の一部について、他の構成の追加・削除・置換をすることが可能である。
【符号の説明】
【００６０】
１Ａ，１Ｂ，１Ｃ  室内機
１      上部吸込口（吸い込み口）
２      キャビネット
３      エアフィルタ
４，４ａ  化粧カバー
４ｂ    フロントパネル
４ｃ    可動パネル
５      端子台カバー
５ａ    本体部
５ａ１  側壁（側面部）
５ｂ    板状部（カバー部）
５ｃ    ねじ孔
５ｄ    孔
５ｅ    係合部
６      ねじ
７      上下風向板（風向板）
８      左右風向板（風向板）
９      熱交換器
１０    電気品箱
１１    モータ（送風機）
１２    表示基板
１３    端子台
１５    空気吹出し口（吹出し口）
１６    ドレンパン（露受け部）
２１    接続配管
Ｃｂ    接続ケーブル
【図１】
2016211816.tif 000003
【図２】
2016211816.tif 000004
【図３】
2016211816.tif 000005
【図４】
2016211816.tif 000006
【図５】
2016211816.tif 000007
【図６】
2016211816.tif 000008
【図７】
2016211816.tif 000009